(57)【要約】【課題】竹の切り口にささくれを出さず、容易かつ安全に伐採する。【解決手段】開閉可能な環状のフレーム1と、該フレーム1の円周上複数個所に設けられた円形のカッター4と、該カッター4を回転自在に保持するアーム5と、該アーム5を回転軸14を中心に回動し前記カッター4を前記フレーム1の内周側に押し出す押圧手段と、前記フレーム1の外周複数個所に設けられ該フレーム1を円周方向に回転するハンドル着脱手段とを有し、前記フレーム1の内側に竹を位置させ、かつ前記押圧手段である押しネジ6にて前記アーム5を押圧して前記カッター4を竹の外周に強く当接させ、前記ハンドル着脱手段である装着筒8にハンドル7を交互に装着して前記フレーム1を回転しつつ、前記カッターを竹の外周に食い込ませて切断する。【選択図】図1
2011041476.tif 000002
【特許請求の範囲】
【請求項１】
開閉可能な環状のフレームと、該フレームの円周上複数個所に設けられた円形のカッターと、該カッターを回転自在に保持するアームと、該アームを、回転軸を中心に回動させて前記カッターを前記フレームの内周側に押し出す押圧手段と、前記フレームをハンドルにて円周方向に回転させるために円周上の複数個所に設けられた回転手段とを有し、前記フレームの内側に竹を位置させ、かつ前記押圧手段にて前記アームを押圧して前記カッターを竹の外周に強く当接させ、前記回転手段にて前記フレームを回転し、前記カッターを竹の外周に食い込ませて切断することを特徴とする竹カッター。
【請求項２】
前記フレームは、円周上の１箇所に蝶番が設けられ、円周上他の１箇所が前記蝶番を介して接離可能に開放され、開放された開放端相互間には、係止手段が設けられ、閉止時に該係止手段にて環状を固定することを特徴とする請求項１記載の竹カッター。
【請求項３】
前記回転手段は、前記フレームの円周上における複数個所にハンドルを着脱可能に装着筒が設けられ、該装着筒にハンドルを交互に装着しつつ、該ハンドルにより前記フレームを回転させることを特徴とする請求項１記載の竹カッター。
【請求項４】
前記カッターは、算盤玉状の円形をなし、外周に鋭利な切刃を有することを特徴とする請求項１記載の竹カッター。
【発明の詳細な説明】
【技術分野】
【０００１】
本発明は、竹を切断する装置、特に竹の伐採に使用する竹カッターに関する。
【背景技術】
【０００２】
従来、竹の伐採には一般的に鋸が使用されているが、鋸以外の伐採装置は提案されていない。竹の伐採装置ではなくプラスチック管あるいは鋼管等の管類を切断する装置としては、例えば特許文献１から特許文献３に示されるパイプカッターが公知となっている。
【０００３】
特許文献１の発明は、被加工物であるパイプを回転駆動するメタルソーとローラとで挟み込み、送りねじ機構でローラを押圧しながらメタルソーで切断するものである。
【０００４】
特許文献２の発明は、鋏に類似した上下のハンドルを有する構成で、鋏の切刃に相当する部分に上顎および下顎を形成して上下の顎それぞれに一対のローラを設け、上下のローラにて被加工物であるパイプを挟んで回転しながら一方の顎の側に設けられた刃物にて切断するものである。
【０００５】
特許文献３の発明は、被加工物であるパイプの上下それぞれに算盤玉状の円形カッターが複数個配置されており、上方のカッターを送りネジで送り出しながら回転することによりパイプに切り込み切断するものである。
【０００６】
しかしながら、前記従来から行われている鋸による切断は、時間がかかると共に切り口にささくれができて不安全になるなどの問題がある。また特許文献１の発明は、ローラでパイプを挟んで駆動するメタルソーにて加工する方式であり、特許文献２の発明は上下の顎に設けられたローラにて挟みながら、ブレード状の刃物で加工するものであり、特許文献３の発明は、本願と同様な算盤玉状のカッターを用いているもののパイプの周囲を囲むカッターの一方の側を押圧して回転しながら加工するものである。従って何れも本願における環状フレームの円周上に設けられた複数のカッターそれぞれを竹の面に押圧しつつ切断する方式とは構成が異なるものである。
【先行技術文献】
【特許文献】
【０００７】
【特許文献１】特開平０６−０９１４２６号公報
【特許文献２】特開平１０−２１６３７１号公報
【特許文献３】特開２００２−１４４１４１号公報
【発明の概要】
【発明が解決しようとする課題】
【０００８】
解決しようとする問題点は、従来の鋸による切断は、時間がかかり、切り口にささくれが生じて不安全になることである。
【課題を解決するための手段】
【０００９】
本発明は、前記課題を解決するために、開閉可能な環状のフレームと、該フレームの円周上複数個所に設けられた円形のカッターと、該カッターを回転自在に保持するアームと、該アームを、回転軸を中心に回動させて前記カッターを前記フレームの内周側に押し出す押圧手段と、前記フレームをハンドルにて円周方向に回転させるために円周上の複数個所に設けられた回転手段とを有し、前記フレームの内側に竹を位置させ、かつ前記押圧手段にて前記アームを押圧して前記カッターを竹の外周に強く当接させ、前記回転手段にて前記フレームを回転し、前記カッターを竹の外周に食い込ませて切断することを特徴とするものである。
【発明の効果】
【００１０】
本発明の竹カッターは、環状のフレームに複数の算盤玉状のカッターを取り付け、それぞれのカッターを竹の円周に強く当接させつつフレームを回転して切断する方式であるので、切断した竹の切り口にささくれが生じない。これにより切り株が安全であると共に操作が簡単で短時間に加工ができ、しかも片手で竹を押さえながら、他方の手でカッターを操作することができるので女性や子供でも安全に伐採することができる。更に鋸やナタのように刃物の交換や再研磨の必要がないという利点がある。
【図面の簡単な説明】
【００１１】
【図１】竹カッター全体の概略を示す斜視図である。（実施例１）
【図２】（a）は一部を断面にした係止部の上面図、（b）は（a）のA―A矢視図である。（実施例１）
【図３】（a）はカッターの正面図、（b）はカッターの側面図である。（実施例１）
【図４】（a）はカッターの押し出し機構を示す一部を断面にした正面図、（b）は（a）の一部を断面にしたA―A矢視図、（c）は（a）の一部を断面にしたB―B矢視図である。（実施例１）
【図５】（a）はカッターの押し出し機構を示す一部を断面にした正面図、（b）は（a）の一部を断面にしたA―A矢視図である。（実施例２）
【発明を実施するための形態】
【００１２】
切り口にささくれが出ず、容易かつ安全に竹を伐採するという目的を、従来の鋸やナタを用いずに切断できる本発明の竹カッターにて実現した。
【実施例１】
【００１３】
図1から図4は発明の実施例１を示し、図1は竹カッター全体の概略を示す斜視図、図2（a）は一部を断面にした係止部の上面図、（b）は（a）のA―A矢視図、図3（a）はカッターの正面図、（b）はカッターの側面図、図4（a）はカッターの押し出し機構を示す一部を断面にした正面図、（b）は（a）の一部を断面にしたA―A矢視図、（c）は（a）の一部を断面にしたB―B矢視図である。
【００１４】
本発明の竹カッターは、図1に示す環状フレーム1の円周上１箇所に蝶番2が、円周上他の１箇所に開放部3が設けられ、蝶番2を介して開閉自在となっている。また開放部3の開放端相互間には、閉止時に環状を固定する後述の係止手段が設けられている。また円周上３箇所にカッター4がアーム5を介して回転自在に設けられ、押しネジ6にてアーム5を押すことによりカッター4がフレーム1の内側に押し出される構成になっている。更に円周上の３箇所に、回転手段である手回しハンドル7の装着筒8が設けられている。なおカッター4および装着筒8の数は３箇所に限定するものではない。
【００１５】
また前記係止手段としては、図2に示すように、係止レバー9の一端が開放部3の一方の端部内面側にネジリコイルバネ10を介して設けられ、係止レバー9の他端がネジリコイルバネ10の付勢にて対向する他方の端部内面側を押圧している。また係止レバー9の他端には爪部11が形成され、爪部11は他方の端部に形成された係止穴12にネジリコイルバネ10の付勢にて自動的に係止される構成になっている。これによりフレーム1の開放部3の開放および閉止時の固定が可能になる。また図3に示すようにカッター4は算盤玉状に形成され、外周部13が鋭利な切刃となっている。
【００１６】
次に、上記構成の竹カッターの本実施例における詳細な構成について説明する。本実施例では、図4（a）（b）（c）に示すように、カッター4は２枚のアーム5の一端に軸4aを中心に回転自在に挟み込まれ、アーム5の他端はフレーム1側に軸14を中心に回動自在に構成されている。またアーム5の長手方向における略中央部にブロック15が設けられており、ブロック15はフレーム1側に設けられた押圧手段である押しネジ6とナット16を介して押圧される構成になっている。
【００１７】
以上述べた構成により、本実施例の竹カッターは、使用に際してフレーム1の開放部3を、蝶番2を介して開放し竹をフレーム１の内側に位置させた後、開放部3の開放端相互間を閉じる。これにより開放部3は係止レバー9の爪部１１が係止穴12に自動的に落ち込んで係止され環状が固定される。この状態で３箇所の押しネジ6にてアーム5を押し、アーム5を回動させてカッター4を竹の面に強く当接させる。次にフレーム1の外周３箇所に設けられたハンドル装着筒8に手回しハンドル7を交互に差し替えながらフレーム1を竹の周囲に繰り返し回す。これによりカッター4は徐々に竹の面に食い込んで切断が可能になる。
【００１８】
この構成の竹カッターは、カッター4を竹の円周に押圧しつつフレーム1を回転して切断する方式であるので、切断された切り口にささくれが生じない。これにより切り株が安全になる。しかも片手で竹を押さえながら、他方の手で竹カッターを操作することができるので女性や子供でも安全かつ短時間に伐採することができる。更にナタや鋸のように刃物の交換や最研磨の必要がないという効果がある。
【実施例２】
【００１９】
図5（a）はカッターの押し出し機構を示す一部を断面にした上面図、（b）は同一部を断面にした押し出し機構の側面図である。
【００２０】
本実施例は、前記実施例1においてアーム5を回動させる回転軸14をアーム5の端部に設けた構成に替えて、図5に示すようにアーム21を回動させる回転軸22をアーム21の長手方向略中央に位置させたものである。従って押しネジ6はアーム21の端部にて回動自在な軸23に螺合し、押しネジ6にてアーム21の端部を上下動することにより回転軸22を中心にアーム21を回動させ、カッター4をフレーム1の内側に押し出すことを可能に構成されたものである。
【００２１】
本実施例は上記構成により前記実施例１と同様な作用効果を奏することができる。
【符号の説明】
【００２２】
1  フレーム
2  蝶番
3  開放部
4  カッター
5,21  アーム
6  押しネジ
7  手回しハンドル
8  装着筒
9  係止レバー
10  ネジリコイルバネ
11  爪部
12  係止穴
13  外周部
14,22,23  軸
15  ブロック
16  ナット
【図１】
2011041476.tif 000003
【図２】
2011041476.tif 000004
【図３】
2011041476.tif 000005
【図４】
2011041476.tif 000006
【図５】
2011041476.tif 000007